(57)【特許請求の範囲】
【請求項１】
１または複数の商品を搭載可能な商品搭載部と、
前記商品搭載部に固定される発光部であり、その中に前記商品に対応する１または複数の発光素子を有する発光部と、
前記商品搭載部に搭載された１または複数の前記商品から無線送信された識別情報を、無線受信する装置用送受信部と、
前記識別情報の受信数を計数することにより前記商品の枚数Ｎを算出した後に、下からＮ＋１番目の前記商品に対応する前記発光素子を発光させる、装置用制御部とを、有する
ことを特徴とする商品読取装置。
【請求項２】
１または複数の商品を搭載可能な商品搭載部と、
前記商品搭載部に固定される発光部であり、その中に前記商品に対応する１または複数の発光素子を有する発光部と、
前記発光素子に対して、前記商品を介して存在する受光素子と、
照合情報を格納する装置用記憶部と、
前記商品搭載部に搭載された１または複数の前記商品から無線送信された識別情報を、無線受信する装置用送受信部と、
前記識別情報の受信数を計数することにより前記商品の枚数Ｎを算出した後に、下からＮ＋１番目の前記商品に対応する前記発光素子を発光させ、
前記発光素子からの光を前記受光素子が受光したときに、前記識別情報と前記照合情報が一致するか判断する、装置用制御部とを、有する
ことを特徴とする商品読取装置。
【発明の詳細な説明】
【技術分野】
【０００１】
本発明は、新規な商品読取装置に関する。
また、本発明は、その商品読取装置に対して使用される、新規な商品に関する。
【背景技術】
【０００２】
遊技場の１つである、パチンコやスロットといった遊技機を取り揃えたパチンコホールで、遊技客はパチンコやスロットを用いて遊技を行うことができる。パチンコホールにおける遊技の終了時、遊技客は、手元に残ったパチンコ玉やスロットのメダルを、その多寡に応じてさまざまな賞品と交換することができる。賞品の中の１つとして、遊技客が好んでよく持ち帰る一定の商品が存在し、パチンコホールから遊技客へこの商品を含む各種賞品が渡される。遊技客は、この商品を第三者が経営する商品買取所に持ち込むことにより売買取引を行うことができる。
【０００３】
このような商品及びその商品を読み取る商品読取装置の技術が開示されている（例えば、特許文献１、特許文献２参照）。
【０００４】
特許文献１には、複数の特殊景品の読取処理を迅速に行いつつ、不正等による異常景品を容易かつ確実に発見できる特殊景品及び特殊景品読取装置が開示されている。すなわち、特殊景品読取装置で読取可能な所定の識別情報を格納した特殊景品であって、複数枚積み重ねて特殊景品読取装置の景品搭載部に搭載可能なカード形状をなし、所定の識別情報を格納する記憶手段と、記憶手段に記憶された識別情報を特殊景品読取装置側に無線送信する送信手段と、特殊景品読取装置からの所定の照合結果情報を無線受信する受信手段と、受信手段が照合結果情報を受信すると発光する発光手段となるＬＥＤを備え、ＬＥＤが、複数の特殊景品が特殊景品読取装置上に積み重ねられた状態において、外部から発光の有無が視認できるようにカード隅部の対称位置に配設されるように構成してある。
【０００５】
特許文献２には、新規な商品及び商品読取装置が開示されている。すなわち、商品読取装置にて所定の照合情報を商品に無線送信する１回の動作のみで、全ての商品にて自己判断により所定の識別情報を商品読取装置に無線送信する。よって、商品に掛かる読取時間を大幅に短縮させることができる。また、超音波と信号により商品の枚数をダブルチェックしてそれらの枚数が一致するときのみ識別情報を読み取って処理している。よって、全ての商品を確実に処理することができる。
【先行技術文献】
【特許文献】
【０００６】
【特許文献１】特開２００４−２９０４５２号公報
【特許文献２】特開２０１１−２３４８９５号公報
【発明の概要】
【発明が解決しようとする課題】
【０００７】
しかしながら、上述した従来の商品読取装置及び商品以外には、新規な商品読取装置、及びその商品読取装置に対して使用される、新規な商品については、開示が確認されていない。
【０００８】
そのため、新規な商品読取装置の開発が望まれている。
また、その商品読取装置に対して使用される、新規な商品の開発が望まれている。
【０００９】
本発明は、新規な商品読取装置を提供することを目的とする。
また、本発明は、その商品読取装置に対して使用される、新規な商品を提供することを目的とする。
【課題を解決するための手段】
【００１０】
上記課題を解決し、本発明の目的を達成するため、本発明の商品読取装置は、１または複数の商品を搭載可能な商品搭載部と、前記商品搭載部に固定される発光部であり、その中に前記商品に対応する１または複数の発光素子を有する発光部と、前記商品搭載部に搭載された１または複数の前記商品から無線送信された識別情報を、無線受信する装置用送受信部と、前記識別情報の受信数を計数することにより前記商品の枚数Ｎを算出した後に、下からＮ＋１番目の前記商品に対応する前記発光素子を発光させる、装置用制御部とを、有することを特徴とする。
【００１１】
本発明の商品読取装置は、１または複数の商品を搭載可能な商品搭載部と、前記商品搭載部に固定される発光部であり、その中に前記商品に対応する１または複数の発光素子を有する発光部と、前記発光素子に対して、前記商品を介して存在する受光素子と、照合情報を格納する装置用記憶部と、前記商品搭載部に搭載された１または複数の前記商品から無線送信された識別情報を、無線受信する装置用送受信部と、前記識別情報の受信数を計数することにより前記商品の枚数Ｎを算出した後に、下からＮ＋１番目の前記商品に対応する前記発光素子を発光させ、前記発光素子からの光を前記受光素子が受光したときに、前記識別情報と前記照合情報が一致するか判断する、装置用制御部とを、有することを特徴とする。
【００１２】
本発明の商品読取装置は、商品搭載部を有する商品読取装置であり、前記商品搭載部は、１または複数の商品を搭載可能であり、前記商品搭載部は、前記商品搭載部の正面側に開いた凹状部を有する、底部と、前記底部に接続する奥壁と、前記底部と前記奥壁にそれぞれ接続して互いに平行である２つの側壁と、前記底部と前記側壁に接続し、外側に傾く２つの傾斜壁とを、有し、２つの前記側壁のいずれか一方に、発光部が固定され、前記発光部は、１または複数の発光素子を有し、前記側壁には、前記発光素子に対応する位置に発光素子孔が形成されていることを特徴とする。
【００１３】
本発明の商品は、上述の商品読取装置に対して使用される商品であることを特徴とする。
【発明の効果】
【００１４】
本発明は、以下に記載されるような効果を奏する。
【００１５】
本発明の商品読取装置は、１または複数の商品を搭載可能な商品搭載部と、前記商品搭載部に固定される発光部であり、その中に前記商品に対応する１または複数の発光素子を有する発光部と、前記商品搭載部に搭載された１または複数の前記商品から無線送信された識別情報を、無線受信する装置用送受信部と、前記識別情報の受信数を計数することにより前記商品の枚数Ｎを算出した後に、下からＮ＋１番目の前記商品に対応する前記発光素子を発光させる、装置用制御部とを、有するので、新規な商品読取装置を提供することができる。
【００１６】
本発明の商品読取装置は、１または複数の商品を搭載可能な商品搭載部と、前記商品搭載部に固定される発光部であり、その中に前記商品に対応する１または複数の発光素子を有する発光部と、前記発光素子に対して、前記商品を介して存在する受光素子と、照合情報を格納する装置用記憶部と、前記商品搭載部に搭載された１または複数の前記商品から無線送信された識別情報を、無線受信する装置用送受信部と、前記識別情報の受信数を計数することにより前記商品の枚数Ｎを算出した後に、下からＮ＋１番目の前記商品に対応する前記発光素子を発光させ、前記発光素子からの光を前記受光素子が受光したときに、前記識別情報と前記照合情報が一致するか判断する、装置用制御部とを、有するので、新規な商品読取装置を提供することができる。
【００１７】
本発明の商品読取装置は、商品搭載部を有する商品読取装置であり、前記商品搭載部は、１または複数の商品を搭載可能であり、前記商品搭載部は、前記商品搭載部の正面側に開いた凹状部を有する、底部と、前記底部に接続する奥壁と、前記底部と前記奥壁にそれぞれ接続して互いに平行である２つの側壁と、前記底部と前記側壁に接続し、外側に傾く２つの傾斜壁とを、有し、２つの前記側壁のいずれか一方に、発光部が固定され、前記発光部は、１または複数の発光素子を有し、前記側壁には、前記発光素子に対応する位置に発光素子孔が形成されているので、新規な商品読取装置を提供することができる。
【００１８】
本発明の商品は、上述の商品読取装置に対して使用される商品であるので、新規な商品を提供することができる。
【図面の簡単な説明】
【００１９】
【図１】商品読取装置を示す斜視図である。
【図２】商品読取装置を示す斜視図である。
【図３】商品を示す斜視図である。
【図４】商品読取装置の商品搭載部を示す、正面右側からの斜視図である。
【図５】商品読取装置の商品搭載部を示す、正面左側からの斜視図である。
【図６】商品読取装置の商品搭載部を示す正面図である。
【図７】商品読取装置の商品搭載部を示す平面図である。
【図８】商品読取装置の商品搭載部を示す右側面図である。
【図９】商品読取装置の商品搭載部を示す左側面図である。
【図１０】図６の商品搭載部の正面図における、Ａ−Ａ´断面図である。
【図１１】図１０の商品搭載部のＡ−Ａ´断面図における、Ｃ−Ｃ´断面図及びＤ−Ｄ´断面図である。
【図１２】図１０の商品搭載部のＡ−Ａ´断面図における、Ｅ−Ｅ´断面図及びＦ−Ｆ´断面図である。
【図１３】図６の商品搭載部の正面図における、Ｂ−Ｂ´断面図である。
【図１４】図１３の商品搭載部のＢ−Ｂ´断面図における、Ｇ−Ｇ´断面図である。
【図１５】図１３の商品搭載部のＢ−Ｂ´断面図における、Ｈ−Ｈ´断面図である。
【図１６】商品読取装置の商品搭載部を示す正面図である。
【図１７】商品読取装置の商品搭載部を示す平面図である。
【図１８】発光素子からの光の動作を説明する図である。
【図１９】発光素子からの光の動作を説明する図である。
【図２０】商品読取装置及び商品のブロック図である。
【図２１】商品読取装置の発光部のブロック図である。
【図２２】商品読取装置の受光部のブロック図である。
【図２３】商品読取装置におけるフローチャートである。
【発明を実施するための形態】
【００２０】
以下、商品読取装置及び商品にかかる発明を実施するための形態について説明する。
【００２１】
本発明の商品読取装置は、１または複数の商品を搭載可能な商品搭載部と、前記商品搭載部に固定される発光部であり、その中に前記商品に対応する１または複数の発光素子を有する発光部と、前記商品搭載部に搭載された１または複数の前記商品から無線送信された識別情報を、無線受信する装置用送受信部と、前記識別情報の受信数を計数することにより前記商品の枚数Ｎを算出した後に、下からＮ＋１番目の前記商品に対応する前記発光素子を発光させる、装置用制御部とを、有する。
【００２２】
また、本発明の商品読取装置は、１または複数の商品を搭載可能な商品搭載部と、前記商品搭載部に固定される発光部であり、その中に前記商品に対応する１または複数の発光素子を有する発光部と、前記発光素子に対して、前記商品を介して存在する受光素子と、照合情報を格納する装置用記憶部と、前記商品搭載部に搭載された１または複数の前記商品から無線送信された識別情報を、無線受信する装置用送受信部と、前記識別情報の受信数を計数することにより前記商品の枚数Ｎを算出した後に、下からＮ＋１番目の前記商品に対応する前記発光素子を発光させ、前記発光素子からの光を前記受光素子が受光したときに、前記識別情報と前記照合情報が一致するか判断する、装置用制御部とを、有する。
【００２３】
また、本発明の商品読取装置は、商品搭載部を有する商品読取装置であり、前記商品搭載部は、１または複数の商品を搭載可能であり、前記商品搭載部は、前記商品搭載部の正面側に開いた凹状部を有する、底部と、前記底部に接続する奥壁と、前記底部と前記奥壁にそれぞれ接続して互いに平行である２つの側壁と、前記底部と前記側壁に接続し、外側に傾く２つの傾斜壁とを、有し、２つの前記側壁のいずれか一方に、発光部が固定され、前記発光部は、１または複数の発光素子を有し、前記側壁には、前記発光素子に対応する位置に発光素子孔が形成されている。
【００２４】
また、本発明の商品は、上述の商品読取装置に対して使用される商品である。
【００２５】
最初に、図１及び２を用いて商品読取装置について説明するとともに、図２０〜２２を用いて商品読取装置のブロック図等について説明する。
図１は、商品読取装置を示す斜視図である。また、図２は、商品読取装置を示す斜視図である。また、図２０は、商品読取装置及び商品のブロック図である。また、図２１は、商品読取装置の発光部のブロック図である。また、図２２は、商品読取装置の受光部のブロック図である。
【００２６】
図１及び２、図２０〜２２に示すように、商品読取装置１０は、装置用制御部１１、表示部１２、操作部１３、モデム１４、装置用記憶部１５、プリンタ部１６、装置用送受信部１７、アンテナ板１８、商品搭載部３０、発光部４０、発光素子４１、受光部５０、受光素子５１等を備えている。
なお、図１及び２において、商品読取装置１０の横方向をＸ軸方向、奥から正面への方向をＹ軸方向、及び、垂直方向をＺ軸方向とする。以下、同じである。
また、Ｙ軸及びＺ軸を通る平面に平行な平面をＹＺ平面とする。以下、同じである。
【００２７】
装置用制御部１１では、予め格納されているプログラムにより商品読取装置１０全体の制御が行われる。
【００２８】
表示部１２は、液晶ディスプレイ等からなり、この表示部１２には、商品読取装置１０における例えば、商品２０の識別情報の処理内容や処理結果（換金金額等）等の所定の情報が文字、数字等で画面表示される。
【００２９】
操作部１３は、読取開始用の開始スイッチ１３ａ、読取終了用の終了スイッチ１３ｂ、及び、テンキーと読取取消用の取消スイッチとからなるスイッチ群１３ｃ等の入力キーを備えている。この操作部１３では、ユーザにより商品読取装置１０の動作に必要となる各種の操作が行われる。
モデム１４では、外部の装置、例えばホストコンピュータ等との通信が行われる。
【００３０】
装置用記憶部１５には、照合情報や二度読みデータ等が格納される。
照合情報としては、例えば、大分類データ（例えば、地域コード）、小分類データ（例えば、店番号）、金種データ（例えば、５０００円、１０００円、５００円、２００円、１００円等）、過去に読み取った商品２０の連番等がある。
【００３１】
ここで、地域コードとは、例えば、買取所が存在する地域の識別番号である。
また、店番号とは、例えば、買取所の識別番号である。
また、連番とは、例えば、商品の個別の識別番号である。
【００３２】
二度読みデータとしては、例えば、二度読み件数（例えば、０〜３０００件）及び二度読み時間（例えば、０〜９００分）等がある。
なお、二度読み件数、二度読み時間については、後述する。
【００３３】
プリンタ部１６は、熱転写プリンタ等からなり、このプリンタ部１６では、商品読取装置１０における例えば、商品２０の識別情報の処理内容や処理結果（換金金額等）等の所定の情報が文字、数字等で紙印刷される。
【００３４】
図１，２に示すように、商品読取装置１０は、商品搭載部３０を有する。商品搭載部３０は、１または複数の商品２０を積み重ねて搭載可能である。
【００３５】
搭載した商品２０の背面側に商品２０との間で信号を無線で送受信するアンテナ板１８が備えられている。このように商品搭載部３０に搭載した商品２０の背面側に全商品２０に沿うようにアンテナ板１８を配置しているので、商品搭載部３０に複数の商品２０を積み重ねて搭載しても全商品２０と同一の近距離で通信を確実に行うことができる。
なお、アンテナ板１８を大きくしたり、アンテナ板１８の個数を複数にすることにより、多数の商品２０と通信可能になる。
【００３６】
装置用送受信部１７では、商品搭載部３０の背面側のアンテナ板１８を介して、商品２０との間で信号が無線で送受信される。
例えば、装置用送受信部１７は、商品搭載部３０に搭載された１または複数の商品２０から無線送信された識別情報を、無線受信する。
【００３７】
発光部４０は、装置用制御部１１と接続している。この発光部４０の中には、１または複数の発光素子４１が存在する。
受光部５０は、装置用制御部１１と接続している。この受光部５０の中には、１または複数の受光素子５１が存在する。
【００３８】
つぎに、図３を用いて商品読取装置に対して使用される商品について説明するとともに、図２０を用いて商品のブロック図について説明する。
図３は、商品を示す斜視図である。また、図２０は、商品読取装置及び商品のブロック図である。
【００３９】
図３に示すように、商品２０は、プラスチック樹脂等で形成された重ね合わせ可能なカード形状をなす本体２１を有しており、本体２１の内部には、ＲＦＩＤ（Ｒａｄｉｏ  Ｆｒｅｑｕｅｎｃｙ  Ｉｄｅｎｔｉｆｉｃａｔｉｏｎ）チップと送受信アンテナ等が樹脂やガラスで封止されたＲＦタグ２２が埋め込まれている。ここで、ＲＦタグ２２は、無線通信により商品２０の認証等を可能とするもので、商品読取装置１０側と非接触型であるために接点等の磨耗の心配もなく、また電池が不要であるため常時使用可能となる。
【００４０】
図２０に示すように、ＲＦタグ２２は、商品用制御部２３、電源供給部２４、商品用記憶部２５、商品用送受信部２６、アンテナ２７、ＬＥＤ（発光体）２８等を備えている。
【００４１】
商品用制御部２３では、予め格納されているプログラムにより、ＲＦタグ２２全体の制御が行われる。
【００４２】
電源供給部２４は、ＲＦタグ２２の各部に電源を供給するものである。ＲＦタグ２２は、それ自体電源を持たないが、商品読取装置１０との通信可能なエリア内に位置する場合に、商品読取装置１０から電源供給部２４に電源供給信号が与えられ、これによりＲＦタグ２２の各部が制御される。
【００４３】
商品用記憶部２５は、例えば、ＥＥＰＲＯＭ（電気的に書き換え可能なＲＯＭ）からなる。この商品用記憶部２５には、識別情報が格納されている。識別情報としては、例えば、大分類データ（例えば、地域コード）、小分類データ（例えば、店番号）、金種データ（例えば、５０００円、１０００円、５００円、２００円、１００円等）、連番等がある。
【００４４】
商品用送受信部２６では、アンテナ２７を介して商品読取装置１０との間で信号が無線で送受信される。
【００４５】
ＬＥＤ２８は、図３に示すように、外部から視認可能なように本体２１の平行な２つの側面の中央枠内に設けられている。本例ではＬＥＤ２８を１つの側面に１箇所設けたが、複数箇所設けてもよく、また、側面の中央枠内に設けたが、側面の左右どちらかにずれた位置の枠内に設けてもよく、また、ＬＥＤ以外の発光体であってもよい。このようにＬＥＤ２８を本体２１の側面の枠内に設けているので、商品読取装置１０の商品搭載部３０に複数の商品２０を重ね合わせたときでも相互の光干渉を防止することができる。すなわち、側面の枠内のみの発光なので上下面に光が漏れず、重なり合った商品２０でも光干渉を防止できる。また、商品２０をいずれの向きに重ね合わせても、各商品２０のＬＥＤ２８を一直線状に揃えることができ、ＬＥＤ２８の状態を迅速かつ明確に識別できる。
【００４６】
図３において、商品２０の長さａは、５４．０ｍｍを採用している。
長さａは４３．０〜６５．０ｍｍの範囲内にあることが好ましい。また、長さａは４９．０〜５９．０ｍｍの範囲内にあることがさらに好ましい。
【００４７】
長さａが４３．０ｍｍ以上であると、ＲＦタグ及びＬＥＤを収納する空間を確保できる、という利点がある。長さａが４９．０ｍｍ以上であると、この効果がより顕著になる。
【００４８】
長さａが６５．０ｍｍ以下であると、商品がかさばらず、取り扱い易くなる、という利点がある。長さａが５９．０ｍｍ以下であると、この効果がより顕著になる。
【００４９】
なお、上述の長さａの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００５０】
商品２０の長さｂは、８５．５ｍｍを採用している。
長さｂは６８．０〜１０３．０ｍｍの範囲内にあることが好ましい。また、長さｂは７７．０〜９４．０ｍｍの範囲内にあることがさらに好ましい。
【００５１】
長さｂが６８．０ｍｍ以上であると、ＲＦタグ及びＬＥＤを収納する空間を確保できる、という利点がある。長さｂが７７．０ｍｍ以上であると、この効果がより顕著になる。
【００５２】
長さｂが１０３．０ｍｍ以下であると、商品がかさばらず、取り扱い易くなる、という利点がある。長さｂが９４．０ｍｍ以下であると、この効果がより顕著になる。
【００５３】
なお、上述の長さｂの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００５４】
商品２０の厚さｃは、２．９６ｍｍを採用している。
厚さｃは２．４０〜３．６０ｍｍの範囲内にあることが好ましい。また、厚さｃは２．７０〜３．３０ｍｍの範囲内にあることがさらに好ましい。
【００５５】
厚さｃが２．４０ｍｍ以上であると、ＲＦタグ及びＬＥＤを収納する空間を確保できる、という利点がある。厚さｃが２．７０ｍｍ以上であると、この効果がより顕著になる。
【００５６】
厚さｃが３．６０ｍｍ以下であると、商品がかさばらず、取り扱い易くなる、という利点がある。厚さｃが３．３０ｍｍ以下であると、この効果がより顕著になる。
【００５７】
なお、上述の厚さｃの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００５８】
つぎに、図４〜９を用いて、商品読取装置の商品搭載部について説明する。
図４は、商品読取装置の商品搭載部を示す、正面右側からの斜視図である。また、図５は、商品読取装置の商品搭載部を示す、正面左側からの斜視図である。また、図６は、商品読取装置の商品搭載部を示す正面図である。また、図７は、商品読取装置の商品搭載部を示す平面図である。また、図８は、商品読取装置の商品搭載部を示す右側面図である。また、図９は、商品読取装置の商品搭載部を示す左側面図である。
【００５９】
前記商品搭載部３０は、底部３２、奥壁３３、２つの側壁３４、及び２つの傾斜壁３５を有している。
底部３２は、前記商品搭載部３０の正面側に開いた凹状部３１を有する。この底部３２は、板状の部材である。
【００６０】
奥壁３３は、前記底部３２に接続する。この奥壁３３は、矩形状の板状の部材である。
２つの側壁３４は、前記底部３２と前記奥壁３３にそれぞれ接続して互いに平行である。この２つの側壁３４は、矩形状の板状の部材である。
【００６１】
２つの傾斜壁３５は、前記底部３２と、前記側壁３４に接続し、外側に傾いている。この２つの傾斜壁３５は、矩形状の板状の部材である。
【００６２】
発光部４０は、前記商品搭載部３０を構成する２つの前記側壁３４のうち、いずれか一方に固定されている。
受光部５０は、２つの前記側壁３４のうち、前記発光部４０が固定されていない他方に固定されている。
【００６３】
商品搭載部３０のうち、底部３２、奥壁３３、２つの側壁３４、及び２つの傾斜壁３５の材質としては、ポリプロピレン（ＰＰ）、ポリエチレン（ＰＥ）、ポリ塩化ビニル（ＰＶＣ）、ポリスチレン（ＰＳ）、ポリ酢酸ビニル（ＰＶＡｃ）、ポリウレタン（ＰＵＲ）、ポリテトラフルオロエチレン（ＰＴＦＥ）、アクリロニトリル・ブタジエン・スチレン樹脂（ＡＢＳ）、ポリエチレンテレフタレート（ＰＥＴ）、ポリカーボネート（ＰＣ）等の熱可塑性樹脂のうち、いずれか１種またはいずれか２種以上の組み合わせを採用することができる。
【００６４】
また、商品搭載部３０のうち、底部３２、奥壁３３、２つの側壁３４、及び２つの傾斜壁３５の材質としては、エポキシ樹脂、フェノール樹脂、不飽和ポリエステル樹脂（ＳＭＣ・ＢＭＣ）、ユリア樹脂、メラミン樹脂、ジアリルフタレート樹脂、ケイ素樹脂、ビニルエステル樹脂等の熱硬化性樹脂のうち、いずれか１種またはいずれか２種以上の組み合わせを採用することができる。
【００６５】
なお、商品搭載部３０のうち、底部３２、奥壁３３、２つの側壁３４、及び２つの傾斜壁３５の材質としては、これらに限定されるものではない。このほか商品搭載部３０のうち、底部３２、奥壁３３、２つの側壁３４、及び２つの傾斜壁３５の材質としては、木材、紙材、並びに、炭素繊維、植物繊維、またはガラス繊維などを用いた複合材料などを採用することができる。
【００６６】
図７において、側壁３４の内面と傾斜壁３５の内面との境界点から、奥壁３３の内面までのＹ軸方向の長さｄは、１９．０ｍｍを採用している。
長さｄは１５．０〜２３．０ｍｍの範囲内にあることが好ましい。また、長さｄは１７．０〜２１．０ｍｍの範囲内にあることがさらに好ましい。
【００６７】
長さｄが１５．０ｍｍ以上であると、商品を、左右の側壁に対して、斜めになることなく平行に保持できる、という利点がある。長さｄが１７．０ｍｍ以上であると、この効果がより顕著になる。
【００６８】
長さｄが２３．０ｍｍ以下であると、充分な長さの傾斜壁を形成できる、という利点がある。長さｄが２１．０ｍｍ以下であると、この効果がより顕著になる。
【００６９】
なお、上述の長さｄの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００７０】
奥壁３３の内面から、底部３２の正面側の端辺３２ａまたは３２ｂの延長線までのＹ軸方向の長さｇは、５４．０ｍｍを採用している。
長さｇは４３．０〜６５．０ｍｍの範囲内にあることが好ましい。また、長さｇは４９．０〜５９．０ｍｍの範囲内にあることがさらに好ましい。
【００７１】
長さｇが４３．０ｍｍ以上であると、商品の長さａに対応できる、という利点がある。長さｇが４９．０ｍｍ以上であると、この効果がより顕著になる。
【００７２】
長さｇが６５．０ｍｍ以下であると、商品の長さａに対応できる、という利点がある。長さｇが５９．０ｍｍ以下であると、この効果がより顕著になる。
【００７３】
なお、上述の長さｇの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００７４】
長さｇに対する長さｄの比率ｄ／ｇは、０．３５２を採用している。
比率ｄ／ｇは０．２５〜０．４６の範囲内にあることが好ましい。また、比率ｄ／ｇは０．３０〜０．４１の範囲内にあることがさらに好ましい。
【００７５】
比率ｄ／ｇが０．２５以上であると、商品を、左右の側壁に対して、斜めになることなく平行に保持できる、という利点がある。比率ｄ／ｇが０．３０以上であると、この効果がより顕著になる。
【００７６】
比率ｄ／ｇが０．４６以下であると、充分な長さの傾斜壁を形成できる、という利点がある。比率ｄ／ｇが０．４１以下であると、この効果がより顕著になる。
【００７７】
なお、上述の比率ｄ／ｇの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００７８】
側壁３４の内面と傾斜壁３５の内面との境界点から、底部３２の正面側の端辺３２ａまたは３２ｂまでのＹ軸方向の長さｅは、３５．０ｍｍを採用している。
長さｅは２８．０〜４２．０ｍｍの範囲内にあることが好ましい。また、長さｅは３２．０〜３９．０ｍｍの範囲内にあることがさらに好ましい。
【００７９】
長さｅが２８．０ｍｍ以上であると、商品搭載部の正面の開口幅が広くなるので、商品を商品搭載部の中に入れ易くなる、という利点がある。長さｅが３２．０ｍｍ以上であると、この効果がより顕著になる。
【００８０】
長さｅが４２．０ｍｍ以下であると、商品搭載部を大き過ぎないようにコンパクトにできる、という利点がある。長さｅが３９．０ｍｍ以下であると、この効果がより顕著になる。
【００８１】
なお、上述の長さｅの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００８２】
側壁３４の内面と傾斜壁３５の内面との境界点から、傾斜壁３５の内面の正面側の端点までのＸ軸方向の長さｆは、９．０ｍｍを採用している。
長さｆは７．２〜１０．８ｍｍの範囲内にあることが好ましい。また、長さｆは８．１〜９．９ｍｍの範囲内にあることがさらに好ましい。
【００８３】
長さｆが７．２ｍｍ以上であると、商品搭載部の正面の開口幅が広くなるので、商品を商品搭載部の中に入れ易くなる、という利点がある。長さｆが８．１ｍｍ以上であると、この効果がより顕著になる。
【００８４】
長さｆが１０．８ｍｍ以下であると、商品搭載部を大き過ぎないようにコンパクトにできる、という利点がある。長さｆが９．９ｍｍ以下であると、この効果がより顕著になる。
【００８５】
なお、上述の長さｆの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００８６】
長さｅに対する長さｆの比率ｆ／ｅは、０．２５７を採用している。
比率ｆ／ｅは０．１８〜０．３３の範囲内にあることが好ましい。また、比率ｆ／ｅは０．２２〜０．３０の範囲内にあることがさらに好ましい。
【００８７】
比率ｆ／ｅが０．１８以上であると、商品を、傾斜壁に沿ってスムーズに奥壁まで移動させることができる、という利点がある。比率ｆ／ｅが０．２２以上であると、この効果がより顕著になる。
【００８８】
比率ｆ／ｅが０．３３以下であると、商品を、傾斜壁に沿ってスムーズに奥壁まで移動させることができる、という利点がある。比率ｆ／ｅが０．３０以下であると、この効果がより顕著になる。
【００８９】
なお、上述の比率ｆ／ｅの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００９０】
長さｇに対する長さｅの比率ｅ／ｇは、０．６４８を採用している。
比率ｅ／ｇは０．４５〜０．８４の範囲内にあることが好ましい。また、比率ｅ／ｇは０．５５〜０．７５の範囲内にあることがさらに好ましい。
【００９１】
比率ｅ／ｇが０．４５以上であると、商品搭載部の正面の開口幅が広くなるので、商品を商品搭載部の中に入れ易くなる、という利点がある。比率ｅ／ｇが０．５５以上であると、この効果がより顕著になる。
【００９２】
比率ｅ／ｇが０．８４以下であると、商品搭載部を大き過ぎないようにコンパクトにできる、という利点がある。比率ｅ／ｇが０．７５以下であると、この効果がより顕著になる。
【００９３】
なお、上述の比率ｅ／ｇの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００９４】
なお、次式が成立する。
長さｄ＋長さｅ＝長さｇ
【００９５】
図７において、凹状部３１は略台形の一部からなる形状を有する。すなわち、凹状部３１は、右の端辺３１ａ、奥側の端辺３１ｂ、及び左の端辺３１ｃ、右の端辺３１ａと奥側の端辺３１ｂを滑らかに接続する曲線、左の端辺３１ｃと奥側の端辺３１ｂを滑らかに接続する曲線、底部３２の正面側の端辺３２ａと凹状部３１の右の端辺３１ａを滑らかに接続する曲線、及び、底部３２の正面側の端辺３２ｂと凹状部３１の左の端辺３１ｃを滑らかに接続する曲線から構成される。
【００９６】
凹状部３１における右の端辺３１ａの延長線と底部３２の正面側の端辺３２ａの延長線との交点から、凹状部３１における左の端辺３１ｃの延長線と底部３２の正面側の端辺３２ｂの延長線との交点までのＸ軸方向の長さｈは、６３．５ｍｍを採用している。
長さｈは５１．０〜７６．０ｍｍの範囲内にあることが好ましい。また、長さｈは５７．０〜７０．０ｍｍの範囲内にあることがさらに好ましい。
【００９７】
長さｈが５１．０ｍｍ以上であると、１枚または複数枚の商品を、その商品の上面と下面を親指と他の指で保持したまま、商品搭載部の中に入れることができる、という利点がある。長さｈが５７．０ｍｍ以上であると、この効果がより顕著になる。
【００９８】
長さｈが７６．０ｍｍ以下であると、商品搭載部の底部３２の面積が充分に確保できるので、商品の重量に対する底部３２の機械的強度を大きくすることができる、という利点がある。長さｈが７０．０ｍｍ以下であると、この効果がより顕著になる。
【００９９】
なお、上述の長さｈの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１００】
凹状部３１において、奥側の端辺３１ｂの延長線と右の端辺３１ａの延長線との交点から、奥側の端辺３１ｂの延長線と左の端辺３１ｃの延長線との交点までのＸ軸方向の長さｊは、５１．０ｍｍを採用している。
長さｊは４１．０〜６１．０ｍｍの範囲内にあることが好ましい。また、長さｊは４６．０〜５６．０ｍｍの範囲内にあることがさらに好ましい。
【０１０１】
長さｊが４１．０ｍｍ以上であると、１枚または複数枚の商品を、その商品の上面と下面を親指と他の指で保持したまま、商品搭載部の中に入れることができる、という利点がある。長さｊが４６．０ｍｍ以上であると、この効果がより顕著になる。
【０１０２】
長さｊが６１．０ｍｍ以下であると、商品搭載部の底部３２の面積が充分に確保できるので、商品の重量に対する底部３２の機械的強度を大きくすることができる、という利点がある。長さｊが５６．０ｍｍ以下であると、この効果がより顕著になる。
【０１０３】
なお、上述の長さｊの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１０４】
凹状部３１における奥側の端辺３１ｂから、底部３２の正面側の端辺３２ａまたは３２ｂの延長線までのＹ軸方向の長さｋは、２０．０ｍｍを採用している。
長さｋは１６．０〜２４．０ｍｍの範囲内にあることが好ましい。また、長さｋは１８．０〜２２．０ｍｍの範囲内にあることがさらに好ましい。
【０１０５】
長さｋが１６．０ｍｍ以上であると、１枚または複数枚の商品を、その商品の上面と下面を親指と他の指で保持したまま、商品搭載部の中に入れることができる、という利点がある。長さｋが１８．０ｍｍ以上であると、この効果がより顕著になる。
【０１０６】
長さｋが２４．０ｍｍ以下であると、商品搭載部の底部３２の面積が充分に確保できるので、商品の重量に対する底部３２の機械的強度を大きくすることができる、という利点がある。長さｋが２２．０ｍｍ以下であると、この効果がより顕著になる。
【０１０７】
なお、上述の長さｋの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１０８】
長さｇに対するに長さｋの比率ｋ／ｇは、０．３７０を採用している。
比率ｋ／ｇは０．２６〜０．４８の範囲内にあることが好ましい。また、比率ｋ／ｇは０．３２〜０．４３の範囲内にあることがさらに好ましい。
【０１０９】
比率ｋ／ｇが０．２６以上であると、１枚または複数枚の商品を、その商品の上面と下面を親指と他の指で保持したまま、商品搭載部の中に入れることができる、という利点がある。比率ｋ／ｇが０．３２以上であると、この効果がより顕著になる。
【０１１０】
比率ｋ／ｇが０．４８以下であると、商品搭載部の底部３２の面積が充分に確保できるので、商品の重量に対する底部３２の機械的強度を大きくすることができる、という利点がある。比率ｋ／ｇが０．４３以下であると、この効果がより顕著になる。
【０１１１】
なお、上述の比率ｋ／ｇの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１１２】
凹状部３１における奥側の端辺３１ｂから、奥壁３３の内面までのＹ軸方向の長さｍは、３４．０ｍｍを採用している。
長さｍは２７．０〜４１．０ｍｍの範囲内にあることが好ましい。また、長さｍは３１．０〜３７．０ｍｍの範囲内にあることがさらに好ましい。
【０１１３】
長さｍが２７．０ｍｍ以上であると、商品搭載部の底部３２の面積が充分に確保できるので、商品の重量に対する底部３２の機械的強度を大きくすることができる、という利点がある。長さｍが３１．０ｍｍ以上であると、この効果がより顕著になる。
【０１１４】
長さｍが４１．０ｍｍ以下であると、１枚または複数枚の商品を、その商品の上面と下面を親指と他の指で保持したまま、商品搭載部の中に入れることができる、という利点がある。長さｍが３７．０ｍｍ以下であると、この効果がより顕著になる。
【０１１５】
なお、上述の長さｍの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１１６】
なお、次式が成立する。
長さｋ＋長さｍ＝長さｇ
【０１１７】
左の側壁３４の内面から、右の側壁３４の内面までのＸ軸方向の長さｐは、８６．５ｍｍを採用している。
長さｐは６９．０〜１０４．０ｍｍの範囲内にあることが好ましい。また、長さｐは７８．０〜９５．０ｍｍの範囲内にあることがさらに好ましい。
【０１１８】
長さｐが６９．０ｍｍ以上であると、商品の長さｂに対応できる、という利点がある。長さｐが７８．０ｍｍ以上であると、この効果がより顕著になる。
【０１１９】
長さｐが１０４．０ｍｍ以下であると、商品の長さｂに対応できる、という利点がある。長さｐが９５．０ｍｍ以下であると、この効果がより顕著になる。
【０１２０】
なお、上述の長さｐの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１２１】
左の傾斜壁３５の内面の正面側の端点から、右の傾斜壁３５の内面の正面側の端点までのＸ軸方向の長さｚは、１０４．５ｍｍを採用している。
長さｚは８４．０〜１２５．０ｍｍの範囲内にあることが好ましい。また、長さｚは９４．０〜１１５．０ｍｍの範囲内にあることがさらに好ましい。
【０１２２】
長さｚが８４．０ｍｍ以上であると、商品搭載部の正面の開口幅が広くなるので、商品を商品搭載部の中に入れ易くなる、という利点がある。長さｚが９４．０ｍｍ以上であると、この効果がより顕著になる。
【０１２３】
長さｚが１２５．０ｍｍ以下であると、商品搭載部を大き過ぎないようにコンパクトにできる、という利点がある。長さｚが１１５．０ｍｍ以下であると、この効果がより顕著になる。
【０１２４】
なお、上述の長さｚの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１２５】
凹状部３１における右の端辺３１ａの延長線と底部３２の正面側の端辺３２ａの延長線との交点から、右の傾斜壁３５の内面の正面側の端点までのＸ軸方向の長さｎ、並びに、凹状部３１における左の端辺３１ｃの延長線と底部３２の正面側の端辺３２ｂの延長線との交点から、左の傾斜壁３５の内面の正面側の端点までのＸ軸方向の長さｎは、２０．５ｍｍを採用している。
長さｎは１６．０〜２５．０ｍｍの範囲内にあることが好ましい。また、長さｎは１８．０〜２３．０ｍｍの範囲内にあることがさらに好ましい。
【０１２６】
長さｎが１６．０ｍｍ以上であると、商品搭載部の正面の開口幅が広くなるので、商品を商品搭載部の中に入れ易くなる、という利点がある。長さｎが１８．０ｍｍ以上であると、この効果がより顕著になる。
【０１２７】
長さｎが２５．０ｍｍ以下であると、商品搭載部を大き過ぎないようにコンパクトにできる、という利点がある。長さｎが２３．０ｍｍ以下であると、この効果がより顕著になる。
【０１２８】
なお、上述の長さｎの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１２９】
長さｚに対する長さｈの比率ｈ／ｚは、０．６０８を採用している。
比率ｈ／ｚは０．４３〜０．７９の範囲内にあることが好ましい。また、比率ｈ／ｚは０．５２〜０．７０の範囲内にあることがさらに好ましい。
【０１３０】
比率ｈ／ｚが０．４３以上であると、１枚または複数枚の商品を、その商品の上面と下面を親指と他の指で保持したまま、商品搭載部の中に入れることができる、という利点がある。比率ｈ／ｚが０．５２以上であると、この効果がより顕著になる。
【０１３１】
比率ｈ／ｚが０．７９以下であると、商品搭載部の底部３２の面積が充分に確保できるので、商品の重量に対する底部３２の機械的強度を大きくすることができる、という利点がある。比率ｈ／ｚが０．７０以下であると、この効果がより顕著になる。
【０１３２】
なお、上述の比率ｈ／ｚの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１３３】
なお、次式が成立する。
長さｈ＋２×長さｎ＝長さｚ
長さｐ＋２×長さｆ＝長さｚ
【０１３４】
なお、凹状部３１の形状は、上述の略台形の一部からなる形状に限定されるものではない。このほか凹状部３１の形状としては、三角形の一部及び四角形の一部などの多角形の一部、円形の一部及び楕円形の一部などの曲線、並びに、直線と曲線の組み合わせなどを採用することができる。
【０１３５】
つぎに、図１０〜１２を用いて、発光部の発光素子について説明する。
図１０は、図６の商品搭載部の正面図における、Ａ−Ａ´断面図である。また、図１１は、図１０の商品搭載部のＡ−Ａ´断面図における、Ｃ−Ｃ´断面図及びＤ−Ｄ´断面図である。また、図１２は、図１０の商品搭載部のＡ−Ａ´断面図における、Ｅ−Ｅ´断面図及びＦ−Ｆ´断面図である。
【０１３６】
図１１，１２に示すように、発光部４０は、１または複数の発光素子４１を有している。
発光素子４１としては、赤外線発光センサーを使用している。
【０１３７】
発光素子４１として、赤外線発光センサーを使用すると、受光素子５１に赤外線を送ることができる。赤外線を使用することにより、外部からの可視光による干渉を抑制できる、という利点がある。
【０１３８】
なお、発光素子４１としては、赤外線発光センサーに限定されない。このほか、発光素子４１としては、可視光発光センサーなどを採用することができる。
【０１３９】
図１０〜１２に示すように、側壁３４には、発光素子４１に対応する位置に発光素子孔４２が形成されている、
【０１４０】
図１０〜１２において、発光素子孔４２のＹＺ平面による断面形状は円形である。
図１０において、右側の発光素子孔４２の中心と左側の発光素子孔４２の中心とのＹ軸方向の長さｑは、６．０ｍｍを採用している。
長さｑは４．８〜７．２ｍｍの範囲内にあることが好ましい。また、長さｑは５．４〜６．６ｍｍの範囲内にあることがさらに好ましい。
【０１４１】
長さｑが４．８ｍｍ以上であると、図１０の右側と左側に存在する発光素子が互いに接触しない空間を確保できる、という利点がある。長さｑが５．４ｍｍ以上であると、この効果がより顕著になる。
【０１４２】
長さｑが７．２ｍｍ以下であると、図１０における、右側に存在する発光素子からの光と、左側に存在する発光素子からの光を、受光素子が均等な強さで受光できる、という利点がある。長さｑが６．６ｍｍ以下であると、この効果がより顕著になる。
【０１４３】
なお、上述の長さｑの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１４４】
図１０において、全ての発光素子孔４２の中心を通るＹ軸方向の線を考える。これらの線のうち、隣接する線のＺ軸方向の長さｒは、２．９６ｍｍを採用している。
長さｒは２．４０〜３．６０ｍｍの範囲内にあることが好ましい。また、長さｒは２．７０〜３．３０ｍｍの範囲内にあることがさらに好ましい。
【０１４５】
長さｒが２．４０ｍｍ以上であると、商品の厚さｃに対応できる、という利点がある。長さｒが２．７０ｍｍ以上であると、この効果がより顕著になる。
【０１４６】
長さｒが３．６０ｍｍ以下であると、商品の厚さｃに対応できる、という利点がある。長さｒが３．３０ｍｍ以下であると、この効果がより顕著になる。
【０１４７】
なお、上述の長さｒの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１４８】
なお、下から１番目の発光素子孔４２の中心と底部３２の上面とのＺ軸方向の距離は１．５ｒに設定する。
【０１４９】
図１１，１２において、発光素子孔４２の直径ｓは、２．０ｍｍを採用している。
直径ｓは１．６〜２．４ｍｍの範囲内にあることが好ましい。また、直径ｓは１．８〜２．２ｍｍの範囲内にあることがさらに好ましい。
【０１５０】
直径ｓが１．６ｍｍ以上であると、発光素子からの光量が大きくなるので、発光素子からの光を受光素子が確実に受光できる、という利点がある。直径ｓが１．８ｍｍ以上であると、この効果がより顕著になる。
【０１５１】
直径ｓが２．４ｍｍ以下であると、発光素子からの光が、この発光素子に対応する商品の上部から漏れるのを防止し、受光素子の検出精度を向上させることができる、という利点がある。直径ｓが２．２ｍｍ以下であると、この効果がより顕著になる。
【０１５２】
なお、上述の直径ｓの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１５３】
発光素子孔４２のＸ軸方向の長さｔは、２．０ｍｍを採用している。
長さｔは１．６〜２．４ｍｍの範囲内にあることが好ましい。また、長さｔは１．８〜２．２ｍｍの範囲内にあることがさらに好ましい。
【０１５４】
長さｔが１．６ｍｍ以上であると、発光素子からの光が、この発光素子に対応する商品の上部から漏れるのを防止し、受光素子の検出精度を向上させることができる、という利点がある。長さｔが１．８ｍｍ以上であると、この効果がより顕著になる。
【０１５５】
長さｔが２．４ｍｍ以下であると、発光素子からの光量が大きくなるので、発光素子からの光を受光素子が確実に受光できる、という利点がある。長さｔが２．２ｍｍ以下であると、この効果がより顕著になる。
【０１５６】
なお、上述の長さｔの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１５７】
長さｔに対する直径ｓの比率ｓ／ｔは、１．００を採用している。
比率ｓ／ｔは０．７０〜１．３０の範囲内にあることが好ましい。また、比率ｓ／ｔは０．８５〜１．１５の範囲内にあることがさらに好ましい。
【０１５８】
比率ｓ／ｔが０．７０以上であると、発光素子からの光量が大きくなるので、発光素子からの光を受光素子が確実に受光できる、という利点がある。比率ｓ／ｔが０．８５以上であると、この効果がより顕著になる。
【０１５９】
比率ｓ／ｔが１．３０以下であると、発光素子からの光が、この発光素子に対応する商品の上部から漏れるのを防止し、受光素子の検出精度を向上させることができる、という利点がある。比率ｓ／ｔが１．１５以下であると、この効果がより顕著になる。
【０１６０】
なお、上述の比率ｓ／ｔの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１６１】
発光素子孔４２のＹＺ平面による断面形状は、上述の円形に限定されない。発光素子孔４２のＹＺ平面による断面形状は、このほか楕円形、多角形などの形状を採用することができる。
【０１６２】
発光素子４１の個数ｘは、３０個を採用している。
発光素子の個数ｘは１〜１００個の範囲内にあることが好ましい。また、発光素子の個数ｘは１〜３０個の範囲内にあることがさらに好ましい。
【０１６３】
発光素子の個数ｘが１個以上であると、１枚または複数枚の商品を商品搭載部に搭載した場合、１枚以上の商品について、全ての商品が不良商品等でないことを検出でき、かつ複数枚の商品について、不良商品等が含まれているかを検出できる、という利点がある。なお、不良商品等については後述する。
【０１６４】
発光素子の個数ｘが１００個以下であると、商品読取装置のコストを低く抑えることができる、という利点がある。発光素子の個数ｘが３０個以下であると、この効果がより顕著になる。
【０１６５】
なお、上述の発光素子の個数ｘの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１６６】
つぎに、図１３〜１５を用いて、受光部の受光素子について説明する。
図１３は、図６の商品搭載部の正面図における、Ｂ−Ｂ´断面図である。また、図１４は、図１３の商品搭載部のＢ−Ｂ´断面図における、Ｇ−Ｇ´断面図である。また、図１５は、図１３の商品搭載部のＢ−Ｂ´断面図における、Ｈ−Ｈ´断面図である。
【０１６７】
図１３〜１５に示すように、受光部５０は、１または複数の受光素子５１を有している。
受光素子５１は、受光部基板５３に設置されている。受光部基板５３の一方の面には、受光部枠５４が固定されている。受光部枠５４のＹＺ平面による断面形状は、外面形状と内面形状がともに長方形であり、外面と内面の間の厚さは所定の厚さを有している。受光部基板５３と受光部枠５４の内側には、受光部溝５２が形成されている。受光部溝５２は、受光部基板５３とは反対側に受光部開口部５５を有している。
受光部５０が固定されている側壁３４には、受光部開口部５５と同じ位置に、受光部開口部５５と同一形状の側壁開口部３６が形成されている。
【０１６８】
受光部開口部５５及び側壁開口部３６のＺ軸方向の長さｕは、９４．８ｍｍを採用している。
長さｕは２０．０〜３８０．０ｍｍの範囲内にあることが好ましい。また、長さｕは２０．０〜１０４．０ｍｍの範囲内にあることがさらに好ましい。
【０１６９】
長さｕが２０．０ｍｍ以上であると、１個以上の発光素子からの光を、受光素子が受光できる、という利点がある。
【０１７０】
長さｕが３８０．０ｍｍ以下であると、商品搭載部の大きさをコンパクトにできる、という利点がある。長さｕが１０４．０ｍｍ以下であると、この効果がより顕著になる。
【０１７１】
なお、上述の長さｕの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１７２】
受光部開口部５５及び側壁開口部３６のＹ軸方向の長さｖは、５．８ｍｍを採用している。
長さｖは４．６〜７．０ｍｍの範囲内にあることが好ましい。また、長さｖは５．２〜６．４ｍｍの範囲内にあることがさらに好ましい。
【０１７３】
長さｖが４．６ｍｍ以上であると、図１０における、右側に存在する発光素子からの光と、左側に存在する発光素子からの光を、受光素子が受光できる、という利点がある。長さｖが５．２ｍｍ以上であると、この効果がより顕著になる。
【０１７４】
長さｖが７．０ｍｍ以下であると、発光素子からの光以外の光を、受光素子が受光するのを抑制し、受光素子の検出精度を向上させることができる、という利点がある。長さｖが６．４ｍｍ以下であると、この効果がより顕著になる。
【０１７５】
なお、上述の長さｖの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１７６】
受光素子５１の個数ｙは、３個を採用している。
受光素子の個数ｙは１〜２０個の範囲内にあることが好ましい。また、受光素子の個数ｙは１〜４個の範囲内にあることがさらに好ましい。
【０１７７】
受光素子の個数ｙが１個以上であると、１個以上の発光素子からの光を、受光素子が受光できる、という利点がある。
【０１７８】
受光素子の個数ｙが２０個以下であると、商品読取装置のコストを低く抑えることができる、という利点がある。受光素子の個数ｙが４個以下であると、この効果がより顕著になる。
【０１７９】
なお、上述の受光素子の個数ｙの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１８０】
受光素子５１としては、赤外線受光センサーを使用している。
受光素子５１として、赤外線受光センサーを使用すると、発光素子４１から送られてきた赤外線を受光できる。赤外線を使用することにより、外部からの可視光による干渉を抑制できる、という利点がある。
【０１８１】
なお、受光素子５１としては、赤外線受光センサーに限定されない。このほか、受光素子５１としては、可視光受光センサーなどを採用することができる。
【０１８２】
つぎに、図１６，１７を用いて、商品と側壁３４の関係等について説明する。
図１６は、商品読取装置の商品搭載部を示す正面図である。また、図１７は、商品読取装置の商品搭載部を示す平面図である。
【０１８３】
図１６に示すように、商品搭載部３０は、１または複数の商品２０を搭載可能である。
【０１８４】
図１７において、側壁３４と商品２０との間のＸ軸方向の距離ｗは、０．５ｍｍを採用している。
距離ｗは０．４０〜０．６０ｍｍの範囲内にあることが好ましい。また、距離ｗは０．４５〜０．５５ｍｍの範囲内にあることがさらに好ましい。
【０１８５】
距離ｗが０．４０ｍｍ以上であると、商品を奥壁に当接するまでスムーズに入れることができる、という利点がある。距離ｗが０．４５ｍｍ以上であると、この効果がより顕著になる。
【０１８６】
距離ｗが０．６０ｍｍ以下であると、発光素子からの光が、この発光素子に対応する商品の上部から漏れるのを防止し、受光素子の検出精度を向上させることができる、という利点がある。距離ｗが０．５５ｍｍ以下であると、この効果がより顕著になる。
【０１８７】
なお、上述の距離ｗの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１８８】
距離ｗと、発光素子孔４２の直径ｓとの積ｗ×ｓは、１．０ｍｍ２を採用している。
積ｗ×ｓは０．７０〜１．３０ｍｍ２の範囲内にあることが好ましい。また、積ｗ×ｓは０．８５〜１．１５ｍｍ２の範囲内にあることがさらに好ましい。
【０１８９】
積ｗ×ｓが０．７０ｍｍ２以上であると、商品を奥壁に当接するまでスムーズに入れることができ、かつ、発光素子からの光量が大きくなるので、発光素子からの光を受光素子が確実に受光できる、という利点がある。積ｗ×ｓが０．８５ｍｍ２以上であると、この効果がより顕著になる。
【０１９０】
積ｗ×ｓが１．３０ｍｍ２以下であると、発光素子からの光が、この発光素子に対応する商品の上部から漏れるのを防止し、受光素子の検出精度を向上させることができる、という利点がある。積ｗ×ｓが１．１５ｍｍ２以下であると、この効果がより顕著になる。
【０１９１】
なお、上述の積ｗ×ｓの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１９２】
距離ｗと（発光素子孔４２の直径ｓ／発光素子孔４２のＸ軸方向の長さｔ）との積ｗ×（ｓ／ｔ）は、０．５ｍｍを採用している。
積ｗ×（ｓ／ｔ）は０．３５〜０．６５ｍｍの範囲内にあることが好ましい。また、積ｗ×（ｓ／ｔ）は０．４３〜０．５８ｍｍの範囲内にあることがさらに好ましい。
【０１９３】
積ｗ×（ｓ／ｔ）が０．３５ｍｍ以上であると、商品を奥壁に当接するまでスムーズに入れることができ、かつ、発光素子からの光量が大きくなるので、発光素子からの光を受光素子が確実に受光できる、という利点がある。積ｗ×（ｓ／ｔ）が０．４３ｍｍ以上であると、この効果がより顕著になる。
【０１９４】
積ｗ×（ｓ／ｔ）が０．６５ｍｍ以下であると、発光素子からの光が、この発光素子に対応する商品の上部から漏れるのを防止し、受光素子の検出精度を向上させることができる、という利点がある。積ｗ×（ｓ／ｔ）が０．５８ｍｍ以下であると、この効果がより顕著になる。
【０１９５】
なお、上述の積ｗ×（ｓ／ｔ）の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１９６】
つぎに、図１８，１９を用いて、発光素子孔の寸法と、商品の厚さの関係について説明する。
図１８は、発光素子からの光の動作を説明する図である。また、図１９は、発光素子からの光の動作を説明する図である。
【０１９７】
図１８，１９に示すように、発光部４０は、その中に商品２０に対応する１または複数の発光素子４１を有する。
また、受光素子５１は、前記発光素子４１に対して、前記商品２０を介して存在する。
【０１９８】
なお、図１８，１９において、下から１番目の商品２０に対応する発光素子４１は設けられていない。このように下から１番目の商品２０に対応する発光素子４１が設けられていない理由については、後述する。
ただし、下から１番目の商品２０に対応する発光素子４１は設けてもよい。このように下から１番目の商品２０に対応する発光素子４１を設けてもよい理由については、後述する。
【０１９９】
商品２０の厚さｃに対する、発光素子孔４２の直径ｓの比率ｓ／ｃは、０．６７６を採用している。
比率ｓ／ｃは０．４７〜０．８８の範囲内にあることが好ましい。また、比率ｓ／ｃは０．５８〜０．７８の範囲内にあることがさらに好ましい。
【０２００】
比率ｓ／ｃが０．４７以上であると、発光素子からの光量が大きくなるので、発光素子からの光を受光素子が確実に受光できる、という利点がある。比率ｓ／ｃが０．５８以上であると、この効果がより顕著になる。
【０２０１】
比率ｓ／ｃが０．８８以下であると、発光素子からの光が、この発光素子に対応する商品の上部から漏れるのを防止し、受光素子の検出精度を向上させることができる、という利点がある。比率ｓ／ｃが０．７８以下であると、この効果がより顕著になる。
【０２０２】
なお、上述の比率ｓ／ｃの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２０３】
商品２０の厚さｃに対する、（直径ｓ／長さｔ）の比率（ｓ／ｔ）／ｃは、０．３３８ｍｍ−１を採用している。
比率（ｓ／ｔ）／ｃは０．２４〜０．４４ｍｍ−１の範囲内にあることが好ましい。また、比率（ｓ／ｔ）／ｃは０．２９〜０．３９ｍｍ−１の範囲内にあることがさらに好ましい。
【０２０４】
比率（ｓ／ｔ）／ｃが０．２４ｍｍ−１以上であると、発光素子からの光量が大きくなるので、発光素子からの光を受光素子が確実に受光できる、という利点がある。比率（ｓ／ｔ）／ｃが０．２９ｍｍ−１以上であると、この効果がより顕著になる。
【０２０５】
比率（ｓ／ｔ）／ｃが０．４４ｍｍ−１以下であると、発光素子からの光が、この発光素子に対応する商品の上部から漏れるのを防止し、受光素子の検出精度を向上させることができる、という利点がある。比率（ｓ／ｔ）／ｃが０．３９ｍｍ−１以下であると、この効果がより顕著になる。
【０２０６】
なお、上述の比率（ｓ／ｔ）／ｃの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２０７】
つぎに、図２３を用いて、商品読取装置におけるフローチャートについて説明する。
図２３は、商品読取装置におけるフローチャートである。なお、商品読取装置におけるフローチャートの説明においては、図２３のほか、図１，２，１８，１９，及び２０〜２２を用いて説明する。
【０２０８】
図２３に示すように、最初に商品読取装置１０の読取を開始する。すなわち、ユーザにより任意枚数の商品２０が商品搭載部３０に搭載され、開始スイッチ１３ａが押される。
【０２０９】
ステップＳ１について説明する。
【０２１０】
装置用制御部１１は、装置用記憶部１５から各商品２０の照合情報のうち大分類データ（例えば、地域コード）を読み出し、装置用送受信部１７を介して各商品２０に大分類データを無線送信する。
【０２１１】
商品２０において、商品用制御部２３は、商品用記憶部２５から識別情報のうち大分類データ（例えば、地域コード）を読み出し、商品用送受信部２６を介して無線受信した大分類データ（例えば、地域コード）と、商品用記憶部２５から読み出した大分類データとを比較、照合して一致しているか否かを判断する。そして、商品用制御部２３は、大分類データが一致していると判断したときは、商品読取装置１０に識別情報のうち小分類データ（例えば、店番号）、金種データ、及び連番を無線送信すると共にＬＥＤ２８を点灯させる。
装置用送受信部１７は、商品搭載部３０に搭載された１または複数の商品２０から無線送信された所定の識別情報を、無線受信する。
【０２１２】
このように、商品読取装置１０にて所定の照合情報を商品２０に無線送信する１回の動作のみで、全ての商品２０にて自己判断により所定の識別情報を商品読取装置１０に無線送信する。よって、商品２０に掛かる読取時間を大幅に短縮させることができる。
なお、装置用制御部１１は各商品２０に大分類データを無線送信し、商品２０は無線受信した大分類データと、商品用記憶部２５から読み出した大分類データとを比較、照合することを説明したが、データは大分類データに限定されるものではなく、他のデータを含めてもよいことはもちろんである。場合によっては、商品２０の良否判定にかかわるすべての情報（大分類データ、小分類データなど）を、商品読取装置１０から商品２０へ無線送信し、これらをすべて商品用制御部２３で自己判断させるような方式も可能である。
【０２１３】
ステップＳ２について説明する。
【０２１４】
装置用制御部１１は、商品２０から無線送信された識別情報の受信数を計数することにより、商品２０の枚数Ｎを算出する。すなわち、装置用制御部１１は、装置用送受信部１７を介して無線受信した個々の商品２０の識別情報（小分類データ（例えば、店番号）、金種データ、及び連番）の受信数を商品２０毎に計数することにより、商品２０の枚数Ｎを求めて装置用記憶部１５へ記録する。
【０２１５】
ステップＳ３について説明する。
【０２１６】
装置用制御部１１は、商品２０の枚数Ｎを算出した後に、下からＮ＋１番目の商品２０に対応する発光素子４１を発光させる（図１８〜２１）。
なおここで、「下からＮ＋１番目の商品２０」とは、積み重ねられた商品２０のうち、一番下の商品２０から数えてＮ＋１番目にあたる商品２０である。また、「下からＮ＋１番目の商品２０に対応する発光素子４１」とは、下からＮ＋１番目の商品２０の左側に隣接する発光素子４１である（図１８，１９）。
【０２１７】
ステップＳ４について説明する。
【０２１８】
装置用制御部１１は、発光素子４１からの光を受光素子５１が受光したかを判別する。
受光素子５１が複数あるときは、全ての受光素子５１が同時に光を検知するように設定されている。
全ての受光素子５１が同時に光を検知するように設定されていると、いずれかの受光素子５１が故障しても、他の受光素子５１が光を検知できるという利点がある。
【０２１９】
なお、全ての受光素子５１が同時に光を検知するように設定されていることに限定されない。このほか、受光素子５１は、商品２０の読取枚数に合わせて受光素子５１を限定するなどに設定することができる。
【０２２０】
ステップＳ５について説明する。
【０２２１】
装置用制御部１１は、発光素子４１からの光を受光素子５１が受光していないと判別したときは、不良商品等の検出処理を行う。すなわち、装置用制御部１１は、不良商品等として表示部１２にその旨を表示する。
ここで、不良商品等とは、故障品である商品、偽物である商品、地域コードが異なっている商品、その他の商品であり、ステップＳ１において、商品用制御部２３がＬＥＤ２８を点灯させなかった商品２０である。
【０２２２】
このときはユーザにより取消スイッチが押され、ＬＥＤ２８が点灯していない不良商品等が商品搭載部３０から抜き取られる。そして、開始スイッチ１３ａが再度押されて、上述の操作をやり直す。
複数の商品２０を重ね合わせたときでも相互の光干渉を防止することができるので、ＬＥＤ２８が点灯しているか点灯していないかを確実に視認することができる。よって、ＬＥＤ２８が点灯していない不良商品等のみをユーザは確実に抜き取ることができる。
【０２２３】
ステップ３〜ステップ５の工程により不良商品等の有無を検出すると、つぎの利点が得られる。すなわち、検出装置が、外部要因による影響を受けにくいので、精度の良い検出を行うことができる。従って、不良商品等の有無を確実に検出することができる。検出装置が小規模であり、かつ汎用の部品から構成されているので、商品読取装置をコンパクトにすることができるとともに、商品読取装置の費用を軽減できる。
【０２２４】
ステップＳ６及びステップＳ７について説明する。
【０２２５】
装置用制御部１１が、発光素子４１からの光を受光素子５１が受光したと判別したときは、装置用制御部１１は、各商品２０が正常であるか否か判断する。すなわち、装置用制御部１１は、発光素子４１からの光を受光素子５１が受光したときに、識別情報と照合情報が一致するか判断する。
【０２２６】
最初に、装置用制御部１１は、装置用記憶部１５から小分類データ（例えば、店番号）を読み出す。
そして、装置用制御部１１は、装置用送受信部１７を介して無線受信した小分類データ（例えば、店番号）と、装置用記憶部１５から読み出した小分類データ（例えば、店番号）とを比較、照合して一致しているか否かを判断する（ステップＳ６）。
【０２２７】
装置用制御部１１は、小分類データ（例えば、店番号）が一致していないときは、該当する商品２０のＬＥＤ２８を消灯させる信号を、装置用送受信部１７を介して該当する商品２０に無線送信すると共に、小分類（例えば、店番号）エラーとして表示部１２にその旨を表示する（ステップＳ７）。
【０２２８】
商品２０において、商品用制御部２３は、商品用送受信部２６を介してＬＥＤ２８を消灯させる信号を無線受信したら、点灯しているＬＥＤ２８を消灯する。
このときはユーザにより取消スイッチが押され、ＬＥＤ２８が点灯していない商品２０が商品搭載部３０から抜き取られる。そして、開始スイッチ１３ａが再度押されて読取が開始される。
【０２２９】
装置用制御部１１は、小分類データが一致しているときは、装置用記憶部１５から金種データを読み出す。
そして、装置用送受信部１７を介して無線受信した金種データと、装置用記憶部１５から読み出した金種データとを比較、照合して、無線受信した金種データが装置用記憶部１５から読み出した金種データのいずれかと一致しているか否かを判断する（ステップＳ６）。
【０２３０】
装置用制御部１１は、金種データが一致していないときは、該当する商品２０のＬＥＤ２８を消灯させる信号を、装置用送受信部１７を介して該当する商品２０に無線送信すると共に、金種エラーとして表示部１２にその旨を表示する（ステップＳ７）。
【０２３１】
商品２０において、商品用制御部２３は、商品用送受信部２６を介してＬＥＤ２８を消灯させる信号を無線受信したら、点灯しているＬＥＤ２８を消灯する。
このときはユーザにより取消スイッチが押され、ＬＥＤ２８が点灯していない商品２０が商品搭載部３０から抜き取られる。そして、開始スイッチ１３ａが再度押されて読取が開始される。
【０２３２】
装置用制御部１１は、金種データが一致しているときは、装置用記憶部１５から過去に読み取った商品２０の連番のうち、二度読み件数以内または（及び）二度読み時間以内に読み取った商品２０の連番を読み出す。
【０２３３】
そして、装置用記憶部１５から読み出した商品２０の連番に基づいて、商品２０が二度読み商品であるか否かを判断する。具体的には、装置用制御部１１が、装置用送受信部１７を介して無線受信した商品２０の連番と、装置用記憶部１５から読み出した、過去に読み取った商品２０の連番のうち、二度読み件数以内または（及び）二度読み時間以内に読み取った商品２０の連番とを比較、照合して、無線受信した商品２０の連番が装置用記憶部１５から読み出した商品２０の連番のいずれかと一致しているか否かを判断する。
【０２３４】
ここで、「二度読み商品」とは、既に読み取られたが、過誤等により再度読み取られた商品である。
「二度読み件数」とは、現在読み取りをしている時点から過去にさかのぼって読み取られた商品の件数のうち、所定の件数以内の商品であれば、二度読み商品であるとして設定された商品の読み取りの件数である。
「二度読み時間」とは、現在読み取りをしている時刻から、過去に読み取られた商品の読み取りの時刻までの時間のうち、所定の時間以内に読み取られた商品であれば、二度読み商品であるとして設定された時間である。
【０２３５】
商品２０が、二度読み件数以内または（及び）二度読み時間以内に再度読み取られたときは二度読み商品であると判断する（ステップＳ６）。
【０２３６】
そして、装置用制御部１１は、該当する商品２０のＬＥＤ２８を消灯させる信号を、装置用送受信部１７を介して該当する商品２０に無線送信すると共に、二度読みエラーとして表示部１２にその旨を表示する（ステップＳ７）。
【０２３７】
商品２０において、商品用制御部２３は、商品用送受信部２６を介してＬＥＤ２８を消灯させる信号を無線受信したら、点灯しているＬＥＤ２８を消灯する。
このときはユーザにより取消スイッチが押され、ＬＥＤ２８が点灯していない商品２０が商品搭載部３０から抜き取られる。そして、開始スイッチ１３ａが再度押されて読取が開始される。
なお、過去に読み取った商品２０のデータは全て装置用記憶部１５に記録されている。
【０２３８】
二度読み件数及び二度読み時間を設定することにより、正常なサイクルで業者間を経由してきた商品２０を二度読み商品と検出してしまうことを防止できる等、状況に応じて二度読み商品検出の過誤を防止できる。また、二度読み件数を０件、二度読み時間を０分と設定することにより二度読み商品検出の機能を無効とすることができる。
【０２３９】
なお、ステップＳ６及びステップＳ７において、小分類データ（例えば、店番号）、金種データ、及び商品２０の連番の各項目について説明した。なお、ステップＳ６及びステップＳ７においては、小分類データ（例えば、店番号）、金種データ、及び商品２０の連番の各項目に限定されず、他の項目を採用することができる。
【０２４０】
上述した不良商品等の検出、小分類エラーの検出、金種エラーの検出、二度読みエラーの検出の各工程のうち、不良商品等の検出の工程を、小分類エラーの検出、金種エラーの検出、及び二度読みエラーの検出の工程よりも先にすることにより、つぎの利点がある。すなわち、小分類エラーの検出、金種エラーの検出、または二度読みエラーの検出の工程が、不良商品等の検出の工程よりも先になると、小分類エラー、金種エラー、または二度読みエラーの中に、不良商品等が含まれてしまうおそれがある。これに対して、不良商品等の検出の工程を、小分類エラーの検出、金種エラーの検出、及び二度読みエラーの検出の工程よりも先にすることにより、不良商品等の全てを検出することができる。
【０２４１】
なお、小分類エラーの検出の工程、金種エラーの検出の工程、二度読みエラーの検出の工程については、この順序で説明した。小分類エラーの検出の工程、金種エラーの検出の工程、二度読みエラーの検出の工程の順序は、この順序に限定されない。小分類エラーの検出の工程、金種エラーの検出の工程、二度読みエラーの検出の工程の順序は、任意の順序とすることができる。
【０２４２】
なお、小分類エラーの検出の工程、金種エラーの検出の工程、または二度読みエラーの検出の工程について、その一部または全部の検出の工程は省略してもよい。
【０２４３】
ステップＳ８について説明する。
【０２４４】
装置用制御部１１は、表示部１２に、識別情報の受信数を計数することにより算出した商品２０の枚数Ｎを表示すると共に、金種毎の枚数や合計金額等を表示する。
また、客側ディスプレイ（図示せず）には、商品２０の枚数Ｎのみを表示する。
【０２４５】
ステップＳ９について説明する。
【０２４６】
全ての商品２０を何回かに分けて読取処理し、まだ残りの商品２０がある場合は、ユーザが商品２０を商品搭載部３０から取り出し、さらに残りの商品２０を商品搭載部３０に搭載する。そして、読取処理を続行するため開始スイッチ１３ａが再度押され、ステップＳ１の前に戻って上述の読取処理を繰り返す。
読取処理を取り消すときは、取消スイッチが押され、読取処理をやり直す。
読取処理を終了するときは、終了スイッチ１３ｂが押される。
【０２４７】
ステップＳ１０について説明する。
【０２４８】
終了スイッチ１３ｂが押されると、装置用制御部１１は、客側ディスプレイ（図示せず）に、合計金額を表示する。
また、装置用制御部１１は、読み取った商品２０の全枚数と、金種毎の枚数や合計金額等を装置用記憶部１５へ記録する。
この後、読取処理は終了する。
【０２４９】
なお、図１８，１９において、下から１番目の商品２０に対応する発光素子４１は設けられていないことを述べた。このように下から１番目の商品２０に対応する発光素子４１が設けられていない理由は、以下のとおりである。
【０２５０】
図２３の商品読取装置のフローチャートのステップＳ２において、商品枚数＝０ときでも処理できるように設定してあるからである。
例えば、１枚または複数枚の商品２０がすべて不良商品等であり、かつ下から１番目の商品２０に対応する発光素子４１が設けられていない場合、図２３の商品読取装置のフローチャートにおける動作は、以下のとおりである。
【０２５１】
ステップＳ２において、商品枚数＝０ときは、読取処理が中止される。表示部には読取処理が中止された旨が表示がされる。ユーザは、すべての商品２０のＬＥＤ２８が点灯していないことから、すべての商品２０が不良商品等であると分かる。
【０２５２】
一方、図１８，１９において、下から１番目の商品２０に対応する発光素子４１は設けてもよいことを述べた。このように下から１番目の商品２０に対応する発光素子４１を設けてもよい理由は、以下のとおりである。
【０２５３】
下から１番目の商品２０に対応する発光素子４１が設けてられている場合は、図２３のフローチャートに従って読取処理ができるからである。
例えば、１枚または複数枚の商品２０がすべて不良商品等であり、かつ下から１番目の商品２０に対応する発光素子４１を設けている場合、図２３の商品読取装置のフローチャートにおける動作は、以下のとおりである。
【０２５４】
ステップＳ２において商品枚数＝０ときは、ステップＳ３において下から１番目の商品２０に対応する発光素子４１が発光する。つぎに、ステップ４を経由してステップ５に進む。ユーザは、すべての商品２０のＬＥＤ２８が点灯していないことから、すべての商品２０が不良商品等であると分かる。
【０２５５】
つぎに、図３における商品の厚さｃと、図１０における長さｒの関係について説明する。
【０２５６】
商品の厚さｃと、長さｒとは、同一の値を採用している。
一方、Ｍ枚の商品が、商品搭載部に搭載されている場合を考える。商品の厚さｃと、長さｒが異なる場合がある。具体的には、商品の厚さｃにばらつきがある場合、長さｒにばらつきがある場合、または、全ての商品の厚さｃが同一であり、かつ全ての長さｒが同一であっても、商品の厚さｃと長さｒとが異なる値を採用している場合などがある。
【０２５７】
このように、商品の厚さｃと、長さｒが異なる場合は、以下の２つの条件を満たすことが好ましい。
（１）Ｍ≧２であるとき、Ｍ枚目の商品に対応する発光素子からの光が、Ｍ枚目の商品により遮られること。
（２）Ｍ＋１枚目の商品に対応する発光素子からの光が、Ｍ枚目の商品により遮られることなく受光素子に到達すること。
【０２５８】
Ｍ≧２であるとき、Ｍ枚目の商品に対応する発光素子からの光が、Ｍ枚目の商品により遮られると、Ｍ枚の商品のうちに不良商品等が含まれていても、不良商品等の存在を確実に検出できる、という利点がある。
Ｍ＋１枚目の商品に対応する発光素子からの光が、Ｍ枚目の商品により遮られることなく受光素子に到達すると、Ｍ枚の商品が全て不良商品等でないとき、全ての商品が不良商品等でないことを確実に検出できる、という利点がある。
【０２５９】
なお、本発明は上述の発明を実施するための形態に限らず本発明の要旨を逸脱することなくその他種々の構成を採り得ることはもちろんである。
【符号の説明】
【０２６０】
１０‥‥商品読取装置、１１‥‥装置用制御部、１２‥‥表示部、１３‥‥操作部、１４‥‥モデム、１５‥‥装置用記憶部、１６‥‥プリンタ部、１７‥‥装置用送受信部、１８‥‥アンテナ板、２０‥‥商品、２１‥‥本体、２２‥‥ＲＦタグ、２３‥‥商品用制御部、２４‥‥電源供給部、２５‥‥商品用記憶部、２６‥‥商品用送受信部、２７‥‥アンテナ、２８‥‥ＬＥＤ、３０‥‥商品搭載部、３１‥‥凹状部、３２‥‥底部、３３‥‥奥壁、３４‥‥側壁、３５‥‥傾斜壁、３６‥‥側壁開口部、４０‥‥発光部、４１‥‥発光素子、４２‥‥発光素子孔、５０‥‥受光部、５１‥‥受光素子、５２‥‥受光部溝、５３‥‥受光部基板、５４‥‥受光部枠、５５‥‥受光部開口部
【要約】
【課題】新規な商品読取装置を提供することを目的とする。
【解決手段】本発明の商品読取装置は、１または複数の商品２０を搭載可能な商品搭載部３０を有する。また、前記商品搭載部３０に固定される発光部４０であり、その中に前記商品２０に対応する１または複数の発光素子４１を有する発光部４０を有する。また、前記商品搭載部３０に搭載された１または複数の前記商品２０から無線送信された識別情報を、無線受信する装置用送受信部を有する。また、前記識別情報の受信数を計数することにより前記商品の枚数Ｎを算出した後に、下からＮ＋１番目の前記商品２０に対応する前記発光素子４１を発光させる装置用制御部を有する。
【選択図】図１８【図１】
0006880254.tif 000002
【図２】
0006880254.tif 000003
【図３】
0006880254.tif 000004
【図４】
0006880254.tif 000005
【図５】
0006880254.tif 000006
【図６】
0006880254.tif 000007
【図７】
0006880254.tif 000008
【図８】
0006880254.tif 000009
【図９】
0006880254.tif 000010
【図１０】
0006880254.tif 000011
【図１１】
0006880254.tif 000012
【図１２】
0006880254.tif 000013
【図１３】
0006880254.tif 000014
【図１４】
0006880254.tif 000015
【図１５】
0006880254.tif 000016
【図１６】
0006880254.tif 000017
【図１７】
0006880254.tif 000018
【図１８】
0006880254.tif 000019
【図１９】
0006880254.tif 000020
【図２０】
0006880254.tif 000021
【図２１】
0006880254.tif 000022
【図２２】
0006880254.tif 000023
【図２３】
0006880254.tif 000024